(57)【要約】【課題】機構および加振方式が従来のものと異なるだけでなく、カオス振動、倍周期振動、３周期の窓を容易に目視観察でき、また力学モデルとして、より一般的であるカオスの学習用あるいは研究用の装置を提供すること。【解決手段】回転軸５に取り付けた回転円盤６の側面にひも７を巻き付け、そのひもの両端をコイルばね８，９に結びつけて初張力を与えた状態でばね他端を上方のフレーム１０の水平部分から吊るす。軸受１１およびフレーム１０は図２の左右へのみ水平移動可能な可動板１２の上に固定する。この可動板１２を、何らかの手段で水平方向に正弦波状強制変位加振を行う。【選択図】　図２
2004126488.tif 000002
【特許請求の範囲】
【請求項１】
回転軸を有する円盤の側面にひもを巻きつけ、そのひもの両端をコイルばねに結びつけて初張力を与えた状態でそのコイルばね他端を上方のフレームの水平部分から吊るすことにより軸の回転角θに比例した復元トルクを発生させ、かつ回転軸に振子を倒立した状態で取り付けることによりｓｉｎθに比例した負の復元トルクを発生させる機構を可動板上に設け、その可動板を水平方向に正弦波状に変位強制振動させて振子にカオス振動を発生させる装置。
【発明の詳細な説明】
【０００１】
【発明の属する技術分野】
非線形の復元トルクを有する倒立振子の回転軸を水平方向に変位強制加振することにより振子にカオス振動を発生させる技術分野。
【０００２】
【従来の技術】
図１に示す装置が、カオス振動の研究用としてすでに開発されている。この装置では、回転円盤１の重心位置Ｇを回転軸２の中心から偏心させ、回転に対して渦巻きばね３で回転角θに比例した復元トルクを発生させ、重心の偏心によりｓｉｎθに比例した復元トルクを発生させる。回転軸２は両端で軸受４で支持されている。このばね３の一端を軸中心に関する円弧方向に正弦波状に加振する。すなわち回転軸２へばねの巻き付けと巻き戻しをくり返して正弦波状の加振力を作用させることにより、回転円盤１にカオス振動を発生させる。この場合の回転円盤１は、形状は振子状ではないが、力学的には倒立振子と等価と考えてよい。
【０００３】
【発明が解決しようとする課題】
本発明は、機構および加振方式が従来のものと異なるだけでなく、より一般的なカオス振動発生装置であって、カオスの学習用あるいは研究用に適した装置を提供するためのものである。
【０００４】
【発明によるカオス振動発生の方法】
図２に本発明による装置の機構と加振方向を示す。回転軸５に取り付けた回転円盤６の側面にひも７を巻き付け、そのひもの両端をコイルばね８，９に結びつけて初張力を与えた状態でばね他端を上方のフレーム１０の水平部分から吊るす。軸受１１およびフレーム１０は図２の左右へのみ水平移動可能な可動板１２の上に固定する。この可動板１２を、何らかの手段で水平方向に正弦波状強制変位加振を行うことにより、ある加振振幅の領域で回転軸５に倒立状態で取り付けた振子１３にカオス振動を発生させることができる。
【０００５】
【振子の運動方程式と静止平衡点】
図２に示す倒立した振子１３の回転角θに関する運動方程式は
2004126488.tif 000003
ただし
Ｊ：回転軸まわりの慣性モーメント
Ｃ：回転軸まわりの減衰係数
Ｋ：θに比例する復元トルクの比例定数
ｍ：振子の質量
ｇ：重力加速度
ｈ：回転中心から振子重心までの距離
ａ：加振振幅
ω：角振動数
ｔ：時間
と書くことができる。したがって、振子１３の静止平衡点は
Ｋθ−ｍｇｈｓｉｎθ＝０　　　　　　　　　　（２）
を満足する点であって
θ＝０，±θ０（θ０≠０）　　　　　　　　　（３）
と書くことができる。ここで、θ＝０は不安定平衡点、±θ０は安定平衡点である。
【０００６】
【分岐図によるカオス振動発生の確認】
式（１）は非線形微分方程式であるから、加振振幅ａを変化させたときには、非線形系に特有の現象である倍周期振動およびカオス振動の発生が期待できる。この発生の有無は、ポアンカレ写像から分岐図を描くことにより調べることができる。
【０００７】
図３は、システムパラメータにある数値を与え、かつ初期値θ（０）＝θ０＝３３０，
2004126488.tif 000004
この図から、おおよそ次の振動現象が生じることが読み取れる。
（１）１倍周期振動　（ａ＜７５）
（２）２倍周期振動　（７５＜ａ＜８０）
（３）カオス振動　（８５＜ａ＜１００）
（４）３倍周期振動　（１０５＜ａ＜１５０）
（５）カオス振動　（ａ＞１６０）
なお、上記（２）と（３），（４）と（５）の間をさらに詳しく調べるならば、より大きな倍周期振動の発生が確認できる。
【０００８】
【実験によるカオス振動発生の確認】
図３に示す分岐図を得た条件と同一条件で実験を行った。可動板１２を水平加振するために、減速機付電気モータの出力軸にアームを取り付け、アーム上で軸中心からａだけ偏心した点と可動板１２の右側面の一点をワイヤで連結した。また、可動板１２の左方向への復帰用としてその左側面の一点にコイルばねを取り付けて初張力を与えてその他端を左方に固定した。この方法において、ワイヤの長さを２ｍと比較的長くしてモータを回転させることにより、近似的な正弦波状の強制変位ａｃｏｓωｔを発生させた。ωは分岐図を作成したときと同一の値すなわち、１．９５ｒａｄ／ｓに設定した。振子１３の回転角θは、回転軸５にポテンショメータを取り付け、その出力をＡＤ変換器を介してパソコンに取り込んで測定した。
【０００９】
図４〜８に実験結果を示す。ａのそれぞれの値に対して実験で得られたθ（ｔ）の波形である。その原点は、応答が十分な過渡時間を経過して定常状態に達したと思われる時刻にとっている。図４に示すａ＝７０の場合では、加振と同周期の応答が得られている。つまり１倍周期振動となっている。図５のａ＝８０では、２倍周期振動である。図６のａ＝９７では、不規則な応答波形になっている。つまりカオス振動の状態である。図７に示すａ＝１２０の場合では３倍周期振動が得られる。上記の２つのカオス領域間に生じる３倍周期振動の区間は「３周期の窓」と呼ばれる。図８のａ＝１６０では、再びカオス振動が現れる。以上の実験結果は、理論より得られた分岐図から予想される定性的性質ときわめて良い一致を示している。
【００１０】
【発明の効果】
以上のように、本発明の装置では、カオス振動はもちろんのこと、倍周期振動、３周期の窓など非線形系特有の豊かな現象を発生させることができる。また、加振は可動板１２を水平方向に強制変位させる方式であり、これが通常、懸垂状態から倒立状態へ制御される倒立振子の一般的な加振方式であることから、本装置は制御で取り扱われるモデルとも関連した基本的な力学モデルといえる。さらに、諸現象の目視観察も容易である。したがって、本発明は、カオスの学習用あるいは研究用として有用なものと考えられる。
【図面の簡単な説明】
【図１】従来のカオス振動発生装置の機構と加振方向を示す図である。
【図２】本発明のカオス振動発生装置の機構と加振方向を示す図である。
【図３】加振振幅ａの変化に対する分岐図である。
【図４】ａ＝７０の場合の応答θ（ｔ）を示す図である。
【図５】ａ＝８０の場合の応答θ（ｔ）を示す図である。
【図６】ａ＝９７の場合の応答θ（ｔ）を示す図である。
【図７】ａ＝１２０の場合の応答θ（ｔ）を示す図である。
【図８】ａ＝１６０の場合の応答θ（ｔ）を示す図である。
【符号の説明】
１・・・回転円盤、２・・・回転軸、３・・・渦巻きばね、４・・・軸受、５・・・回転軸、６・・・回転円盤、７・・・ひも、８，９・・・コイルばね、１０・・・フレーム、１１・・・軸受、１２・・・可動板、１３・・・振子。
【図１】
2004126488.tif 000005
【図２】
2004126488.tif 000006
【図３】
2004126488.tif 000007
【図４】
2004126488.tif 000008
【図５】
2004126488.tif 000009
【図６】
2004126488.tif 000010
【図７】
2004126488.tif 000011
【図８】
2004126488.tif 000012